(57)【要約】【課題】小型化および簡素化を図る上で有利なクリック付きセレクト機構および電子機器を提供する。【解決手段】ユーザーが操作部材３０の環状操作部３００６を回転操作すると、回転板３２が回転してスイッチが切り換えられる。また、ユーザーに対して、コイルスプリング３４０４で付勢された鋼球３４０２が係合凹部３０１０に係合することでクリック感が付与され、また、所定の保持力で操作部材３０の回転位置が保持される。そして、環状操作部３００６の半径方向の内側に、軸受部１２１２、軸受孔１２１２Ａ、長溝１２１４、鋼球３４０２、コイルスプリング３４０４が配置される構成となっているため、ケース１２の内側にスペースを確保することなくクリック付きセレクト機構２８を配設でき、クリック付きセレクト機構２８および電子機器の小型化を図る上で有利となる。【選択図】        図３
2004327218.tif 000002
【特許請求の範囲】
【請求項１】
ケースの表面に該表面と直交する軸線回りに回転可能に設けられた操作部材と、
前記ケースの内側に配設され前記操作部材の回転操作により回転されてスイッチを切り換える回転板と、
前記操作部材の所定の回転角度毎にクリック感を付与するクリック機構と、
を備えたクリック付きセレクト機構であって、
前記操作部材は、前記軸線に沿って突設された軸部と、前記軸部の半径方向の外側で環状に延在しユーザーの指で回転操作される環状操作部と、前記軸部の周面に周方向に沿って形成された複数の凹部からなる係合凹部とを有し、
前記ケースには、前記環状操作部の半径方向の内側に収容される大きさの軸受部が該ケースの表面から突出形成され、
前記軸受部には、前記軸部を回転可能に支持する軸受孔と、前記軸受孔から該軸受孔の半径方向外側に延在し前記ケースの内面に開放状の長溝とが形成され、
前記クリック機構は前記長溝に挿入され前記係合凹部に係脱可能に係合する係合部材と、前記長溝に挿入され前記係合部材を前記係合凹部に係合する方向に付勢するコイルスプリングとを有し、
前記操作部材は、前記軸部が前記軸受孔に挿入され前記環状操作部がケースの表面から突出した状態で配設され、かつ、前記ケースの内方において前記軸部の端面に押え部材が取着されることで前記軸線方向に移動不能にかつ軸線回りに回転可能に配設され、
前記押え部材は前記回転板と一体に回転するように連結されると共に、前記長溝に挿入された係合部材およびコイルスプリングを該長溝内に留まらせるように構成されている、
ことを特徴とするクリック付きセレクト機構。
【請求項２】
前記押え部材には、前記長溝に前記係合部材およびコイルスプリングを挿入するための挿入溝が形成されていることを特徴とする請求項１記載のクリック付きセレクト機構。
【請求項３】
前記環状操作部の半径方向の内側に、係合部材とコイルスプリングが配置されていることを特徴とする請求項１記載のクリック付きセレクト機構。
【請求項４】
前記押え部材および回転板は共に円盤状を呈し、押え部材と回転板は、軸と、この軸が係合する係合孔とを介して一体に回転するように連結されていることを特徴とする請求項１記載のクリック付きセレクト機構。
【請求項５】
前記軸受部がケースの内面に臨む箇所に収容部がケースの内面に開放状に形成され、前記押え部材は前記収容部に収容され、前記押え部材の端面は、ケースの内面とほぼ同一面上に位置し、または、ケースの内面よりもケースの表面寄りに位置していることを特徴とする請求項１記載のクリック付きセレクト機構。
【請求項６】
前記ケースの内側で前記押え部材に臨む箇所にプリント基板が配設され、前記回転板は前記プリント基板上に回転可能に配設されていることを特徴とする請求項１記載のクリック付きセレクト機構。
【請求項７】
被制御部と前記被制御部を制御する制御部とがケース内に収容された電子機器であって、
前記ケースの表面に該表面と直交する軸線回りに回転可能に設けられた操作部材と、
前記ケースの内側に配設され前記操作部材の回転操作により回転されてスイッチを切り換える回転板と、
前記操作部材の所定の回転角度毎にクリック感を付与するクリック機構と、
を備えたクリック付きセレクト機構であって、
前記操作部材は、前記軸線に沿って突設された軸部と、前記軸部の半径方向の外側で環状に延在しユーザーの指で回転操作される環状操作部と、前記軸部の周面に周方向に沿って形成された複数の凹部からなる係合凹部とを有し、
前記ケースには、前記環状操作部の半径方向の内側に収容される大きさの軸受部が該ケースの表面から突出形成され、
前記軸受部には、前記軸部を回転可能に支持する軸受孔と、前記軸受孔から該軸受孔の半径方向外側に延在し前記ケースの内面に開放状の長溝とが形成され、
前記クリック機構は前記長溝に挿入され前記係合凹部に係脱可能に係合する係合部材と、前記長溝に挿入され前記係合部材を前記係合凹部に係合する方向に付勢するコイルスプリングとを有し、
前記操作部材は、前記軸部が前記軸受孔に挿入され前記環状操作部がケースの表面から突出した状態で配設され、かつ、前記ケースの内方において前記軸部の端面に押え部材が取着されることで前記軸線方向に移動不能にかつ軸線回りに回転可能に配設され、
前記押え部材は前記回転板と一体に回転するように連結されると共に、前記長溝に挿入された係合部材およびコイルスプリングを該長溝内に留まらせるように構成されている、
ことを特徴とする電子機器。
【発明の詳細な説明】
【０００１】
【発明の属する技術分野】
本発明はクリック付きセレクト機構および電子機器に関するものである。
【０００２】
【従来の技術】
操作部材を回転操作することでスイッチを切り換えるセレクト機構は、ビデオカメラなどの電子機器に用いられている（例えば、特許文献１）。
このようなセレクト機構には、所定の回転角度毎にクリック感を付与するクリック機構が用いられ、このクリック機構を前記スイッチ側に設けたものが提供されている（例えば、特許文献２）。
セレクト機構は、前記スイッチ側に設けられた可動接片と固定接点とが互いに接離を繰り返すことによってパルス信号を生成するように構成されるとともに、前記スイッチ側に設けられた板ばねと凹凸部とが係脱を繰り返すことでクリック感を付与するように構成されている。
【０００３】
【特許文献１】
特開平６−６６５１号公報
【特許文献２】
特許第３０３７８０６号公報
【０００４】
【発明が解決しようとする課題】
しかしながら、上述したスイッチ側にクリック機構を設けたセレクト機構においては、電子機器のケースの内側に、クリック機構の占有スペースを確保する必要があるため、セレクト機構および電子機器の小型化を図る上で不利であり、また、スイッチ側に板ばね、凹凸部を設けるため、ケースの内部の構成が複雑化しコストを削減する上でも不利である。
本発明は、このような事情に鑑みてなされ、その目的とするところは、小型化および簡素化を図る上で有利なクリック付きセレクト機構および電子機器を提供することにある。
【０００５】
【課題を解決するための手段】
本発明のクリック付きセレクト機構は、前記目的を達成するために、ケースの表面に該表面と直交する軸線回りに回転可能に設けられた操作部材と、前記ケースの内側に配設され前記操作部材の回転操作により回転されてスイッチを切り換える回転板と、前記操作部材の所定の回転角度毎にクリック感を付与するクリック機構とを備えたクリック付きセレクト機構であって、前記操作部材は、前記軸線に沿って突設された軸部と、前記軸部の半径方向の外側で環状に延在しユーザーの指で回転操作される環状操作部と、前記軸部の周面に周方向に沿って形成された複数の凹部からなる係合凹部とを有し、前記ケースには、前記環状操作部の半径方向の内側に収容される大きさの軸受部が該ケースの表面から突出形成され、前記軸受部には、前記軸部を回転可能に支持する軸受孔と、前記軸受孔から該軸受孔の半径方向外側に延在し前記ケースの内面に開放状の長溝とが形成され、前記クリック機構は前記長溝に挿入され前記係合凹部に係脱可能に係合する係合部材と、前記長溝に挿入され前記係合部材を前記係合凹部に係合する方向に付勢するコイルスプリングとを有し、前記操作部材は、前記軸部が前記軸受孔に挿入され前記環状操作部がケースの表面から突出した状態で配設され、かつ、前記ケースの内方において前記軸部の端面に押え部材が取着されることで前記軸線方向に移動不能にかつ軸線回りに回転可能に配設され、前記押え部材は前記回転板と一体に回転するように連結されると共に、前記長溝に挿入された係合部材およびコイルスプリングを該長溝内に留まらせるように構成されていることを特徴とする。
また、本発明の電子機器は、被制御部と前記被制御部を制御する制御部とがケース内に収容されたものであって、前記ケースの表面に該表面と直交する軸線回りに回転可能に設けられた操作部材と、前記ケースの内側に配設され前記操作部材の回転操作により回転されてスイッチを切り換える回転板と、前記操作部材の所定の回転角度毎にクリック感を付与するクリック機構とを備えたクリック付きセレクト機構であって、前記操作部材は、前記軸線に沿って突設された軸部と、前記軸部の半径方向の外側で環状に延在しユーザーの指で回転操作される環状操作部と、前記軸部の周面に周方向に沿って形成された複数の凹部からなる係合凹部とを有し、前記ケースには、前記環状操作部の半径方向の内側に収容される大きさの軸受部が該ケースの表面から突出形成され、前記軸受部には、前記軸部を回転可能に支持する軸受孔と、前記軸受孔から該軸受孔の半径方向外側に延在し前記ケースの内面に開放状の長溝とが形成され、前記クリック機構は前記長溝に挿入され前記係合凹部に係脱可能に係合する係合部材と、前記長溝に挿入され前記係合部材を前記係合凹部に係合する方向に付勢するコイルスプリングとを有し、前記操作部材は、前記軸部が前記軸受孔に挿入され前記環状操作部がケースの表面から突出した状態で配設され、かつ、前記ケースの内方において前記軸部の端面に押え部材が取着されることで前記軸線方向に移動不能にかつ軸線回りに回転可能に配設され、前記押え部材は前記回転板と一体に回転するように連結されると共に、前記長溝に挿入された係合部材およびコイルスプリングを該長溝内に留まらせるように構成されていることを特徴とする。
そのため、ケースの表面に配設される環状操作部の半径方向の内側に、軸受部、長溝、係合部材、コイルスプリングが配置されるため、ケースの内側にスペースを確保することなくクリック付きセレクト機構を配設でき、また、ケースの内部の構成を簡素化できる。
【０００６】
【発明の実施の形態】
次に、本発明の実施の形態について図面を参照して説明する。
以下、本発明によるクリック付きセレクト機構および電子機器の実施の形態を図面に基づいて詳細に説明する。
図１はデジタルスチルカメラを斜め前方から見た斜視図、図２はデジタルスチルカメラを斜め後方から見た斜視図、図３はクリック付きセレクト機構の縦断面図、図４は操作ダイヤルの説明図、図５はクリック付きセレクト機構の一部の構成を示す分解斜視図、図６はクリック付きセレクト機構の部分構成を示す分解斜視図、図７は押え部材と回転板の連結部分を示す斜視図、図８はクリック付きセレクト機構の組立説明図、図９はクリック機構の構成図である。
【０００７】
図１、図２に示すように、電子機器であるデジタルスチルカメラ１０は、ケース１２を有し、ケース１２には、撮影光学系などのメカ構造部（特許請求の範囲の被制御部に相当）と、前記メカ構造部を制御する制御部とが設けられている。
ケース１２の前面の左側部にはグリップ部１２０２が膨出形成され、グリップ部１２０２を除いたケース１２の前面の中央には鏡胴１２０４が配設され、撮影レンズ光学系１４は鏡胴１２０４に配設されている。
ケース１２の前面で鏡胴１２０４の上方に位置する箇所には前方に突出するストロボ収容部１２０６が形成され、ストロボ収容部１２０６にストロボ装置１６が収容されている。
ケース１２の後面には画像データや文字データを表示する液晶などから構成されるディスプレイ１８、ズーム操作スイッチ２０、十字キースイッチ２２、押ボタンスイッチ２４などが配設されている。
ケース１２の表面１２０８には、図３に示すように、撮影操作を行なうためのシャッタースイッチ２６と、本発明に係るクリック付きセレクト機構２８が配設されている。本実施の形態では、このクリック付きセレクト機構２８によって各種設定操作を行なうための操作ダイヤル（ロータリーセレクタ、ダイヤルスイッチ、あるいはモードセレクタスイッチともいう）が構成されている。
なお、上述のディスプレイ１８、ズーム操作スイッチ２０、十字キースイッチ２２、押ボタンスイッチ２４、シャッタースイッチ２６、クリック付きセレクト機構２８は前記制御部を構成している。
【０００８】
クリック付きセレクト機構２８は、図３に示すように、ケース１２の表面１２０８に該表面１２０８と直交する軸線１２１０回りに回転可能に設けられた操作部材３０と、ケース１２の内側に配設されたプリント基板４０と、このプリント基板４０上に設けられ操作部材３０の回転操作により回転されてスイッチを切り換える回転板３２と、操作部材３０の所定の回転角度毎にクリック感を付与するクリック機構３４と、押え部材３６と、ケース１２に設けられた軸受部１２１２などを備えている。
【０００９】
操作部材３０は、図３、図５、図６に示すように、軸線１２０２に沿って突設された軸部３００２と、軸部３００２の上端に設けられた円盤状の上板３００４と、上板３００４の周縁全周から垂設され軸部３００２の半径方向の外側で環状に（あるいは筒状に）延在する円筒壁状の環状操作部３００６とを有している。この環状操作部３００６はユーザーの指により摘ままれ回転操作される箇所である。
上板３００４の下面の外周寄り箇所には１つの係止凸部３０１６が突設されている。
軸部３００２の周面には、周方向に沿って形成された複数の凹部からなる係合凹部３０１０が形成されている。軸部３００２の下端には、断面が一つの円弧と２つの直線で形成された嵌合部３０１２が形成され、軸部３００２の中心に位置する嵌合部３０１２端面箇所にねじ孔３０１４が形成されている。
【００１０】
軸受部１２１２は、図３、図５、図６に示すように、環状操作部３００６の半径方向の内側に収容される大きさでケース１２の表面１２０８から突出形成され、軸受部１２１２には、軸部３００２を回転可能に支持する軸受孔１２１２Ａが形成されている。
また、軸受部１２１２には、軸受孔１２１２Ａから該軸受孔１２１２Ａの半径方向外側に延在する長溝１２１４が形成され、この長溝１２１４はケース１２の内面に開放状に形成されている。
また、軸受孔１２１２Ａと中心とした円板状の収容部１２３０がケース１２の内面に開放状に形成され、この収容部１２３０には押え部材３６が収容される。
【００１１】
クリック機構３４は、図８、図９に示すように、長溝１２１４に挿入され係合凹部３０１０に係脱可能に係合する鋼球３４０２（特許請求の範囲の係合部材に相当）と、長溝１２１４に挿入され鋼球３４０２を係合凹部３０１０に係合する方向に付勢するコイルスプリング３４０４とを有している。
【００１２】
押え部材３６は、図５、図６に示すように、円盤状に形成された板部３６０２を有し、板部３６０２の中心には嵌合部３０１２に嵌合する形状の嵌合孔３６０４が形成され、板部３６０２の周縁には外方に開放状に形成された挿入溝３６０６が形成され、板部３６０２の径方向の中間部には係合孔３６０８が形成されている。
【００１３】
図３、図７に示すように、ケース１２の内側で軸受部１２１２に臨む箇所にはプリント基板４０が配設され、回転板３２はこのプリント基板４０上に回転可能に配設されている。
回転板３２は、円盤状に形成されその中心がプリント基板４０に支軸を介して回転可能に支持された板部３２０２を有し、板部３２０２の下面にはプリント基板４０側の接点に接離される１つあるいは複数の接点３２０４が設けられている。そして、板部３２０２が回転することによって接点３２０４とプリント基板４０側の接点の開閉がなされてスイッチが切り換えられ、これによりデジタルスチルカメラ１０の操作モードを設定するための制御信号が生成されるように構成されている。
板部３２０２の上面には軸３２０６が突設されている。
また、図５に示すように、軸受部１２１２の表面で軸受孔１２１２Ａの径方向の外側箇所には軸受孔１２１２Ａの周方向に所定角度の間隔をおいて２つの係止部１２１６が設けられている。
【００１４】
次に、クリック付きセレクト機構２８の組立について説明する。
まず、図５、図６に示すように、操作部材３０の係止凸部３０１６が２つの係止部１２１６の間に位置するように、操作部材３０の軸部３００２をケース１２の外側から軸受孔１２１２Ａに挿入する。したがって、本実施の形態では、係止凸部３０１６が２つの係止部１２１６に当接する回動範囲において操作部材３０が回転可能に配設されることになる。
次に、図８に示すように、押え部材３６の嵌合孔３６０４を軸部３００２の嵌合部３０１２に嵌合させ、ねじ３６１０をねじ孔３０１４に螺合することでケース１２の内方で操作部材３０の端面に押え部材３６を取着する。これにより、操作部材３０は、環状操作部３００６がケース１２の表面１２０８から突出した状態で配設され、軸線１２１０方向に移動不能にかつ軸線１２１０回りに回転可能に配設される。また、押え部材３６は収容部１２３０に収容され、これにより押え部材３６の端面およびねじ３６１０の頭部の端面が、ケース１２の内面に突出することなく配設され、言い換えると、ケース１２の内面とほぼ同一面上に位置するように、または、ケース１２の内面よりもケース１２の表面寄りに位置するように配設される。本実施の形態では、押え部材３６の端面およびねじ３６１０の頭部の端面がケース１２の内面と同一面上に位置した状態で配設されている。
【００１５】
次に、図８に示すように、鋼球３４０２およびコイルスプリング３４０４を押え部材３６の挿入孔３６０４から長溝１２１４内に挿入する。これにより、図３、図７に示すように、鋼球３４０２がコイルスプリング３４０４により軸部３００２の係合凹部３０１０に係合される方向に付勢される。なお、長溝１２１４に挿入された鋼球３４０２およびコイルスプリング３４０４は押え部材３６により長溝１２１４外への抜落が阻止され長溝１２１４内に留まる。なお、この状態で、環状操作部３００６の半径方向の内側に、軸受部１２１２、軸受孔１２１２Ａ、長溝１２１４、鋼球３４０２、コイルスプリング３４０４が位置する。
次に、図３に示すように、プリント基板４０および回転板３２をケース１２の内方から押え部材３６に近づけ、回転板３２の軸３２０６を押え部材３６の係合孔３６０８に挿入し回転板３２と押え部材３６とが一体に回転するように連結し、この状態でケース１２にプリント基板４０を取り付ける。
このようにしてクリック付きセレクト機構２８が組み立てられる。
【００１６】
次に、クリック付きセレクト機構２８の作用について説明する。
ユーザーが環状操作部３００６を回転操作すると、押え部材３６を介して回転板３２が操作部材３０と一体に回転し、スイッチが切り換わる。
この回転操作時、ユーザーに対して、コイルスプリング３４０４で付勢された鋼球３４０２が軸部３００２の係合凹部３０１０の凹部に係合する毎にクリック感が付与される。また、鋼球３４０２が係合凹部３０１０の凹部に係合する毎に所定の保持力で操作部材３０の回転位置が保持される。
【００１７】
次に、クリック付きセレクト機構２８の効果について説明する。
ケース１２の表面に配設される環状操作部３００６の半径方向の内側に、軸受部１２１２、軸受孔１２１２Ａ、長溝１２１４、鋼球３４０２、コイルスプリング３４０４が配置される構成となっているため、ケース１２の内側にスペースを確保することなくクリック付きセレクト機構２８を配設でき、したがって、クリック付きセレクト機構２８および電子機器の小型化を図る上で有利となる。
特に、本実施の形態では、回転板３２を除いてケース１２の最も内側寄りに位置してクリック付きセレクト機構２８を構成する部材、すなわち、押え部材３６を、ケース１２の内面から突出しないように配設したので、ケース１２の内部の構成を簡素化する上でより一層有利となっている。
また、クリック機構３４は、環状操作部３００６の半径方向内側に位置する鋼球３４０２とコイルスプリング３４０４により構成されているので、プリント基板４０側にクリック機構のための専用の部材を何ら設ける必要がなく、したがって、ケース１２の内部の構成を簡素化しコストを削減する上で有利となる。
また、鋼球３４０２とコイルスプリング３４０４を、押え部材３６を軸部３００２の端面に取り付けた後、押え部材３６の挿入口３６０６から長溝１２１４に挿入できるので、これら鋼球３４０２とコイルスプリング３４０４の挿入作業を容易かつ確実に行なえ、組立コストを低減する上でも有利となる。
【００１８】
なお、係合部材は係合凹部３０１０に係合可能な形状のものであればよく鋼球３４０２に限定されるものではない。
また、上述した実施の形態では、電子機器をデジタルスチルカメラ１０として説明したが、本発明は、クリック付きセレクト機構によってスイッチを切り換える種々の電子機器に無論適用可能である。
【００１９】
【発明の効果】
以上説明したように、本発明によれば、小型化および簡素化を図る上で有利なクリック付きセレクト機構および電子機器を提供することができる。
【図面の簡単な説明】
【図１】デジタルスチルカメラを斜め前方から見た斜視図である。
【図２】デジタルスチルカメラを斜め後方から見た斜視図である。
【図３】クリック付きセレクト機構の縦断面図である。
【図４】操作ダイヤルの説明図である。
【図５】クリック付きセレクト機構の一部の構成を示す分解斜視図である。
【図６】クリック付きセレクト機構の部分構成を示す分解斜視図である。
【図７】押え部材と回転板の連結部分を示す斜視図である。
【図８】クリック付きセレクト機構の組立説明図である。
【図９】クリック機構の構成図である。
【符号の説明】
１０……デジタルスチルカメラ、１２……ケース、３０……操作部材、３２……回転板、３４……クリック機構、３６……押え部材、１２１２……軸受部、１２１４……長溝、３００２……軸部、３００６……環状操作部、３０１０……係合凹部、３４０２……鋼球、３４０４……コイルスプリング。
【図１】
2004327218.tif 000003
【図２】
2004327218.tif 000004
【図３】
2004327218.tif 000005
【図４】
2004327218.tif 000006
【図５】
2004327218.tif 000007
【図６】
2004327218.tif 000008
【図７】
2004327218.tif 000009
【図８】
2004327218.tif 000010
【図９】
2004327218.tif 000011